(57)【特許請求の範囲】
【請求項１】
現金の受け取りを容易にするための、コンピューティングデバイスにより実行される、個人間送金方法であって、
現金の受取人が使用する第１の端末から出金要求に関するデータを受信するステップと、
前記受信した出金要求に関するデータに基づいて、現金の差出人の候補を選出し、出金依頼に関するデータを作成し、前記作成した出金依頼に関するデータを、前記現金の差出人の候補が使用する第２の端末に送信するステップと、
前記第２の端末から前記出金依頼への回答に関するデータを受信するステップと、
前記受信した出金依頼への回答に関するデータに基づいて現金の差出人を決定し、前記決定した現金の差出人の連絡先に関するデータを、前記第１の端末に送信するステップと
を備えることを特徴とする個人間送金方法。
【請求項２】
前記現金の受取人に関連付けられるバリューから前記現金および手数料に相当するバリューを減算し、前記現金のバリューと前記手数料のバリューのうち一部のバリューとを前記現金の差出人に関連付けられるバリューに加算するステップをさらに備えることを特徴とする請求項１に記載の個人間送金方法。
【請求項３】
前記現金の差出人に出会ったことを示すデータを前記第１の端末から受信するステップと、
前記現金の差出人に出会ったことを示すデータの受信に応じて、現金の出金用の符号に関するデータを前記第１の端末に送信するステップと、
前記現金の出金用の符号に対する読み取り結果に関するデータを前記第２の端末から受信するステップと、
前記送信された現金の出金用の符号に関するデータと前記受信された読み取り結果に関するデータとが一致すると、前記現金の出金用の符号に対する読み取りが成功したことを示すデータを前記第２の端末に送信するステップと
をさらに備えることを特徴とする請求項１または２に記載の個人間送金方法。
【請求項４】
前記出金要求に関するデータは、現金の受け取り場所に関するデータを含み、前記作成した出金依頼に関するデータを、前記現金の差出人の候補が使用する第２の端末に送信するステップは、前記第２の端末の位置情報に関するデータが示す位置が前記現金の受け取り場所に関するデータが示す場所の範囲内にあると、前記現金の差出人の候補として選出するステップを含むことを特徴とする請求項１ないし３のいずれか一項に記載の個人間送金方法。
【請求項５】
前記作成した出金依頼に関するデータを、前記現金の差出人の候補が使用する第２の端末に送信するステップは、以前の現金の受取人による評価の高い順に前記現金の差出人の候補として選出するステップを含むことを特徴とする請求項１ないし４のいずれか一項に記載の個人間送金方法。
【請求項６】
現金の受け取りを容易にするための個人間送金装置であって、
現金の受取人が使用する第１の端末から出金要求に関するデータを受信する手段と、
前記受信した出金要求に関するデータに基づいて、現金の差出人の候補を選出し、出金依頼に関するデータを作成し、前記作成した出金依頼に関するデータを、前記現金の差出人の候補が使用する第２の端末に送信する手段と、
前記第２の端末から前記出金依頼への回答に関するデータを受信する手段と、
前記受信した出金依頼への回答に関するデータに基づいて現金の差出人を決定し、前記決定した現金の差出人の連絡先に関する情報を前記第１の端末に表示させる手段と
を備えたことを特徴とする個人間送金装置。
【請求項７】
前記現金の受取人に関連付けられるバリューから前記現金および手数料に相当するバリューを減算し、前記現金のバリューと前記手数料のバリューのうち一部のバリューとを前記現金の差出人に関連付けられるバリューに加算する手段をさらに備えたことを特徴とする請求項６に記載の個人間送金装置。
【請求項８】
前記現金の差出人に出会ったことを示すデータを前記第１の端末から受信する手段と、
前記現金の差出人に出会ったことを示すデータの受信に応じて、現金の出金用の符号に関するデータを前記第１の端末に送信する手段と、
前記現金の出金用の符号に対する読み取り結果に関するデータを前記第２の端末から受信する手段と、
前記送信された現金の出金用の符号に関するデータと前記受信された読み取り結果に関するデータとが一致すると、前記現金の出金用の符号に対する読み取りが成功したことを示す情報を前記第２の端末に表示させる手段と
をさらに備えることを特徴とする請求項６または７に記載の個人間送金装置。
【請求項９】
前記出金要求に関するデータは、現金の受け取り場所に関するデータを含み、前記作成した出金依頼に関するデータを、前記現金の差出人の候補が使用する第２の端末に送信する手段は、前記第２の端末の位置情報に関するデータが示す位置が前記現金の受け取り場所に関するデータが示す場所の範囲内にあると、前記現金の差出人の候補として選出する手段を含むことを特徴とする請求項６ないし８のいずれか一項に記載の個人間送金装置。
【請求項１０】
前記作成した出金依頼に関するデータを、前記現金の差出人の候補が使用する第２の端末に送信する手段は、以前の現金の受取人による評価の高い順に前記現金の差出人の候補として選出する手段を含むことを特徴とする請求項６ないし９のいずれか一項に記載の個人間送金装置。
【請求項１１】
コンピューティングデバイスに、請求項１ないし５のいずれか一項に記載の個人間送金方法の各ステップを実行させるためのプログラム。
【発明の詳細な説明】
【技術分野】
【０００１】
本発明は、個人間送金方法に関し、より詳細には、端末を使用した個人間送金方法に関する。
【背景技術】
【０００２】
従来、個人は、現金が必要になると、例えば、自分の口座から現金を引き出すために、金融機関の窓口などから人手を介するか、または銀行内やコンビニエンスストア内などに設置された現金自動預払機やキャッシュディスペンサーなどを使用するかなどをして、現金を入手している。
【０００３】
また、利用者のスマートフォンと、駅構内に設置された自動券売機、病院内などに設置された自動精算機などとを使用して、現金を引き出すキャッシュアウトシステムが知られている。（例えば、特許文献１（第７−１０頁、第１図）参照）
【先行技術文献】
【特許文献】
【０００４】
【特許文献１】特開２０１９−０３６１６９号公報
【発明の概要】
【発明が解決しようとする課題】
【０００５】
しかしながら、現金自動預払機、キャッシュディスペンサー、自動券売機、自動精算機などは、例えば、高額な維持管理費、またはインターネット社会の進展などの理由によって、設置台数が減少していくという問題があった。
【０００６】
現金が必要な個人は、現金を引き出すことが可能な機器が設置された場所を探し出し、設置された場所に出向く必要があり、現金を入手するまでに時間や手間などがかかるという問題もあった。
【０００７】
本発明は、このような問題に鑑みてなされたもので、その目的とするところは、現金の受け取りを容易にすることができる、個人間送金方法、装置およびプログラムを提供することにある。
【課題を解決するための手段】
【０００８】
このような目的を達成するために、本発明の一態様は、コンピューティングデバイスにより実行される、個人間送金方法であって、現金の受取人が使用する第１の端末から出金要求に関するデータを受信するステップと、受信した出金要求に関するデータに基づいて、現金の差出人の候補を選出し、出金依頼に関するデータを作成し、作成した出金依頼に関するデータを、現金の差出人の候補が使用する第２の端末に送信するステップと、第２の端末から出金依頼への回答に関するデータを受信するステップと、受信した出金依頼への回答に関するデータに基づいて現金の差出人を決定し、決定した現金の差出人の連絡先に関するデータを、第１の端末に送信するステップとを備える。
【０００９】
本発明の別の態様は、個人間送金装置であって、現金の受取人が使用する第１の端末から出金要求に関するデータを受信する手段と、受信した出金要求に関するデータに基づいて、現金の差出人の候補を選出し、出金依頼に関するデータを作成し、作成した出金依頼に関するデータを、現金の差出人の候補が使用する第２の端末に送信する手段と、第２の端末から出金依頼への回答に関するデータを受信する手段と、受信した出金依頼への回答に関するデータに基づいて現金の差出人を決定し、決定した現金の差出人の連絡先に関する情報を第１の端末に表示させる手段とを備える。
【発明の効果】
【００１０】
本発明によれば、既存の金融ネットワークを使用することなく、現金を引き出すことが可能な機器が設置された場所に関係なく、現金を受け取ることが可能となる。
【図面の簡単な説明】
【００１１】
【図１】本発明の一実施形態にかかる個人間送金を実現するシステムを示す構成図である。
【図２】本発明の一実施形態にかかる個人間送金装置を示すブロック図である。
【図３】本発明の一実施形態にかかる個人間送金方法を示すフローチャートである。
【図４】本発明の一実施形態にかかる個人間送金方法を示すフローチャートである。
【図５】本発明の一実施形態にかかる個人間送金が実現される状況の一例を表す図である。
【発明を実施するための形態】
【００１２】
以下、図面を参照しながら本発明の実施形態について詳細に説明する。
【００１３】
図１は、本発明の一実施形態にかかる個人間送金を実現するシステムを示す構成図である。第三者預託であるエスクローの事業者が使用する、コンピューティングデバイスである個人間送金装置１０１と、現金の受取人が使用する、端末であるスマートフォン１０２と、現金の差出人が使用する、端末であるスマートフォン１０３とが、通信回線であるインターネット１０４を通じて接続されている。
【００１４】
個人間送金装置１０１は、例えば、出金を希望する、現金の受取人が使用するスマートフォン１０２から現金の出金要求を受信する。次に、個人間送金装置１０１は、現金を手渡す、現金の差出人を決定する。よって、現金の受取人は、現金の差出人から現金を受け取ることができるようになる。詳細は、図３、４を参照して後述する。
【００１５】
スマートフォン１０２は、例えば、個人間送金装置１０１に対して、現金の出金要求を送信したり、現金の差出人の連絡先を受信したり、現金の差出人から現金を受け取ったことを示す受取り完了報告を送信したりなどする。詳細は、図３、４を参照して後述する。
【００１６】
スマートフォン１０３は、例えば、個人間送金装置１０１に対して、現金の手渡しを依頼する現金の出金依頼を受信したり、現金の出金依頼に対する回答を送信したり、現金の受取人に現金を手渡したことを示す手渡し完了報告を送信したりなどする。詳細は、図３、４を参照して後述する。
【００１７】
説明の目的のために、スマートフォン１０３は、１台のみ図示するが、現金の差出人が複数いたり、現金の差出人の候補が複数いたりすれば、スマートフォン１０３に相当するスマートフォンは、複数台であるとすることができる。
【００１８】
スマートフォン１０２およびスマートフォン１０３は、詳述はしないが、本発明に係る、個人間送金の処理に必要なアプリケーションソフトウェアが、予めインストールされていることを仮定する。スマートフォン１０２およびスマートフォン１０３は、代替えとして、例えば、他のコンピューティングデバイス、本発明に係る個人間送金の処理に専用の情報機器などであるとすることができる。
【００１９】
図２は、本発明の一実施形態にかかる個人間送金装置を示すブロック図である。個人間送金装置１０１は、各ブロックを制御する中央処理装置２０１と、プログラムおよびデータを一時的に記憶する主記憶装置２０２と、プログラムおよびデータを永続的に保存する二次記憶装置２０３と、ユーザーからのデータの入力を処理する入力装置２０４と、ユーザーへのデータの出力を処理する出力装置２０５と、インターネットへの接続を処理する通信制御装置２０６とが、バス２０７を介して相互に接続されている。
【００２０】
中央処理装置２０１は、例えば、インターネットから通信制御装置２０６を介して、スマートフォン１０２からの現金の出金要求を受信する。次に、中央処理装置２０１は、二次記憶装置２０３から主記憶装置２０２にプログラムおよびデータを読み出し、個人間送金を実現するための処理を実行する。よって、現金の受取人は、現金の差出人から現金を受け取ることができるようになる。
【００２１】
本明細書の一実施形態において、説明の目的のために、二次記憶装置２０３は、コンピューティングデバイスである個人間送金装置１０１に内蔵した。しかしながら、二次記憶装置２０３は、例えば、外付けのストレージであってよく、または内蔵および外付けのストレージの組み合わせであってよく、一つであっても二つ以上であってもよい。また、中央処理装置２０１は、例えば、シングルプロセッサーであっても、マルチプロセッサーであってもよい。
【００２２】
このような構成により、現金の受け取りを容易にすることが可能な個人間送金装置を提供する。
【００２３】
図３、４は、本発明の一実施形態にかかる個人間送金方法を示すフローチャートである。現金の受取人がスマートフォン１０２を使用して、個人間送金装置１０１に現金の出金要求を送信することにより、本実施形態の処理が開始する。
【００２４】
現金の受取人および差出人は、商品などの代金を支払うのに利用可能なプリペイドカードに関するサービスの会員であることを仮定する。個人間送金装置１０１を使用する事業者は、現金の受取人および差出人が有するどちらのバリュー（財産価値）も預かることが可能であると仮定する。ここで、バリュー（財産価値）は、上記のプリペイドカードが有するバリューだけでなく、例えば、クレジットカード、デビットカード、仮想通貨、日本円、外貨などが有するバリュー（財産価値）であれば何でもよい。
【００２５】
さらに、現金の受取人および差出人は、本実施形態の個人間送金方法を利用する会員の登録を済ませていると仮定する。現金の受取人および差出人を含む、本実施形態の個人間送金方法を利用する会員は、個人間送金が可能な状態のときに、各自が使用するスマートフォンの位置情報に関するデータの提供を許可していると仮定する。
【００２６】
説明の目的のために、個人間送金装置１０１を使用する事業者は、現金の受取人から、現金千円分以上に相当するバリューを予め預かっていると仮定する。
【００２７】
個人間送金装置１０１において、中央処理装置２０１は、個人間送金を実現するためのプログラムおよびデータを、二次記憶装置２０３から主記憶装置２０２に読み出し、個人間送金の処理を実行する。
【００２８】
ステップＳ３０１において、現金の受取人が使用するスマートフォン１０２から、現金の出金要求に関するデータを、通信制御装置２０６を介して、中央処理装置２０１が受信する。次に、処理は、ステップＳ３０２に進む。
【００２９】
受信される現金の出金要求に関するデータは、例えば、現金の受取人を識別する識別子、現金の受取人が使用するスマートフォン１０２に関する位置情報、現金の受取人が希望する金額、手数料、受け取る時間帯、場所などに関するデータを含むことができる。受け取る場所は、例えば、公園の出入口付近などの屋外、飲食店の店内などの屋内など、個人間送金装置１０１を使用する事業者が提供するサービスの範囲内であれば、どこでもよい。
【００３０】
さらに、受信される現金の出金要求に関するデータは、例えば、現金の受取人が希望する銀行券または貨幣の種類、銀行券または貨幣が未使用であることを希望するかどうかなどに関するデータを含むことができる。希望する銀行券または貨幣の合計金額が希望する金額に一致するかどうかの確認の処理は、詳述しないが、個人間送金装置１０１上で実行してもよいし、スマートフォン１０２上で実行してもよい。
【００３１】
ステップＳ３０２において、ステップＳ３０１にて受信した現金の出金要求に関するデータから、希望する金額が出金可能であるかどうかを、中央処理装置２０１が決定する。希望する金額は、個人間送金装置１０１を使用する事業者が予め預かっている、現金の受取人に関するバリューの範囲内であれば、出金可能である。例えば、現金の受取人の希望する金額が九百円であり、希望する手数料が百円であるならば、現金の受取人は現金千円分以上に相当するバリューを予め預けているので、出金可能である。
【００３２】
処理は、出金可能であれば、ステップＳ３０３に進み、出金可能でなければ、ステップＳ３０１に戻る。
【００３３】
ステップＳ３０３において、本実施形態の個人間送金方法を利用する会員の中から、受信した現金の出金要求に関するデータに適合する、現金の差出人の候補を選出するマッチングの処理を、中央処理装置２０１が実行する。次に、処理は、ステップＳ３０４に進む。
【００３４】
例として、個人間送金装置１０１は、本実施形態の個人間送金方法を利用する会員が個人間送金をできる状態、例えば、本発明に係るアプリケーションソフトウェアが起動中であれば、会員が使用するスマートフォン１０３の位置情報に関するデータを取得している。個人間送金装置１０１は、会員が使用するスマートフォン１０３の位置情報が示す位置が、現金の出金要求に関するデータに含まれる、受け取る場所の位置情報が示す場所の範囲内にあるような、本実施形態の個人間送金方法を利用する会員を、現金の差出人の候補として選出する。受け取る場所の位置情報が示す場所の範囲内は、例えば、公園の出入口の半径２００ｍ以内、飲食店のレジの一辺１０ｍ四方以内などとすることができ、受け取る場所に対して、予め範囲を決めておくことができる。
【００３５】
ステップＳ３０４において、ステップＳ３０３にて実行したマッチングが成功したかどうかを、中央処理装置２０１が決定する。処理は、マッチングが成功するとステップＳ３０５に進み、マッチングが失敗するとステップＳ３１１に進む。
【００３６】
ステップＳ３１１では、現金の受取人が使用するスマートフォン１０２に対して、マッチング失敗の通知に関するデータを、通信制御装置２０６を介して、中央処理装置２０１が送信して、処理は、終了する。送信されるマッチング失敗の通知のデータは、現時点において、現金の出金要求に関するデータに適合する現金の差出人を選出できなかったことを示す通知のデータである。
【００３７】
ステップＳ３０５において、ステップＳ３０３にて選出した現金の差出人の候補が使用するスマートフォン１０３に対して、現金の出金依頼に関するデータを、中央処理装置２０１が作成し、通信制御装置２０６を介して中央処理装置２０１が送信する。次に、処理は、ステップＳ３０６に進む。
【００３８】
送信される現金の出金依頼に関するデータは、例えば、現金の出金要求に関するデータに対応した、現金の差出人の候補を識別する識別子、現金の受取人が希望する金額、手数料、受け取る時間帯、場所などに関するデータを含むことができる。さらに、受信する現金の出金依頼に関するデータは、例えば、現金の出金要求に関するデータに対応した、現金の受取人が希望する銀行券または貨幣の種類、銀行券または貨幣が未使用であることを希望するかどうかなどに関するデータを含むことができる。
【００３９】
現金の出金依頼に関するデータの受信に基づいて、現金の差出人の候補は、現金の手渡しを希望するならば、現金を手渡しが可能であることを示す、現金の出金依頼への回答に関するデータを、スマートフォン１０３を使用して送信する。現金の差出人の候補は、現金の手渡しを希望しないならば、現金を手渡しが不可能であることを示す、現金の出金依頼への回答に関するデータを、スマートフォン１０３を使用して送信する。
【００４０】
ステップＳ３０６において、現金の出金依頼に関するデータを受信した現金の差出人の候補が使用するスマートフォン１０３から、現金の出金依頼への回答に関するデータを、通信制御装置２０６を介して、中央処理装置２０１が受信する。次に、処理は、ステップＳ３０７に進む。
【００４１】
受信される現金の出金依頼への回答に関するデータは、単に現金を手渡すことができるかどうかを示すデータであってもよく、例えば、現金の受取人が希望する金額の現金はあるが、現金の受取人が希望する手数料は受け入れられないなど、部分的に現金の出金依頼を受けることができることを示すデータであってもよい。
【００４２】
ステップＳ３０７において、ステップＳ３０６にて受信した現金の出金依頼への回答に関するデータが、現金の差出人の候補が現金の手渡しが可能であることを示すかどうかを、中央処理装置２０１が決定する。処理は、手渡しが可能であれば、現金の差出人の候補を現金の差出人として決定して、ステップＳ３０８に進み、手渡しが不可能であれば、ステップＳ３０３に戻る。
【００４３】
ステップＳ３０８において、現金の受取人が使用するスマートフォン１０２に対して、ステップＳ３０７にて決定した現金の差出人の連絡先に関するデータを、通信制御装置２０６を介して、中央処理装置２０１が送信する。次に、処理は、ステップＳ４０１に進む。
【００４４】
送信される現金の差出人の連絡先に関するデータは、例えば、現金の差出人を識別する識別子、現金が手渡しされる時間、場所などに関するデータなどを含むことができる。現金の差出人を識別する識別子に関するデータは、例えば、本名、ニックネーム、顔写真などに関するデータを含むことができる。
【００４５】
現金の差出人の連絡先に関するデータの受信に基づいて、現金の受取人は、現金の差出人の連絡先に関する情報を、現金の受取人が使用するスマートフォン１０２に表示して、現金の差出人を探す。現金の受取人が現金の差出人に出会えたならば、現金の差出人に出会ったことを示すデータを、現金の受取人が使用するスマートフォン１０２を使用して送信する。
【００４６】
ステップＳ４０１において、現金の受取人が使用するスマートフォン１０２から、現金の差出人に出会ったことを示すデータを、通信制御装置２０６を介して、中央処理装置２０１が受信する。次に、処理は、ステップＳ４０２に進む。
【００４７】
代替えとして、受信される現金の差出人に出会ったことを示すデータは、例えば、単に現金の受取人の位置情報に関するデータのみであるとすることができる。現金の受取人の位置情報に関するデータのみが送信される場合、中央処理装置２０１は、例えば、現金の受取人の位置情報が示す位置が、現金の差出人の位置情報に誤差を除いて一致するかどうかに基づいて、現金の差出人に出会ったかどうかを決定することができる。
【００４８】
ステップＳ４０２において、現金の受取人が使用するスマートフォン１０２に対して、現金の出金に必要なＱＲコード（登録商標）に関するデータを、通信制御装置２０６を介して、中央処理装置２０１が送信する。代替えとして、送信されるＱＲコードは、例えば、他のマトリックス型の二次元コード、スタック型の二次元コード、バーコードなどの符号を使用することができる。次に、処理は、ステップＳ４０３に進む。
【００４９】
現金の出金に必要なＱＲコードに関するデータの受信に応じて、現金の受取人により、受信したデータに基づくＱＲコードが、現金の受取人が使用するスマートフォン１０２の画面に表示される。現金の受取人が使用するスマートフォン１０２の画面に表示されたＱＲコードは、現金の差出人により、現金の差出人が使用するスマートフォン１０３によって読み取られる。現金の差出人が使用するスマートフォン１０３は、ＱＲコードの読み取り結果に関するデータを送信する。
【００５０】
ステップＳ４０３において、現金の差出人が使用するスマートフォン１０３から、読み取り結果に関するデータを、通信制御装置２０６を介して、中央処理装置２０１が受信する。次に、処理は、ステップＳ４０４に進む。
【００５１】
ステップＳ４０４において、現金の差出人が使用するスマートフォン１０３により読み取られたＱＲコードに関するデータが、ステップＳ４０２にて送信した現金の出金に必要なＱＲコードに関するデータに一致するかどうかを、中央処理装置２０１が決定する。
【００５２】
一致すれば、現金の差出人が使用するスマートフォン１０３に対して、ＱＲコードに関するデータの読み取りが成功したことを示すデータを、通信制御装置２０６を介して、中央処理装置２０１が送信する。次に、処理は、ステップＳ４０５に進む。一致しなければ、処理は、ステップＳ４０２に戻る。
【００５３】
ＱＲコードに関するデータの読み取りが成功したことを示すデータの受信に応じて、現金の差出人は、受取人が希望する金銭の現金九百円を、現金の受取人に手渡す。現金九百円を手渡した現金の差出人は、現金の差出人が使用するスマートフォン１０３から、現金九百円を手渡したことを示す、手渡し完了報告のデータを、現金の差出人が使用するスマートフォン１０３から送信する。現金九百円を受け取った現金の受取人は、現金九百円を受け取ったことを示す、受取り完了報告のデータを、現金の受取人が使用するスマートフォン１０２から送信する。
【００５４】
ステップＳ４０５において、現金の差出人が使用するスマートフォン１０３から送信された、手渡し完了報告のデータを、通信制御装置２０６を介して、中央処理装置２０１が受信する。次に、処理は、ステップＳ４０６に進む。
【００５５】
送信される手渡し完了報告のデータは、現金の受取人に対する評価に関するデータを含むことができる。現金の受取人に対する評価に関するデータは、中央処理装置２０１によって、二次記憶装置２０３に格納される。現金の受取人に対する評価に関するデータは、現金の受取人が、次の機会に現金の受け取りを希望する場合、現金の出金依頼に関するデータに含むことができる。現金の受取人に対する評価に関するデータは、評価の低い現金の受取人に対して、現金の差出人が現金の手渡しを拒否するのに使用することができる。
【００５６】
ステップＳ４０６において、現金の受取人が使用するスマートフォン１０２から送信された、受取り完了報告のデータを、通信制御装置２０６を介して、中央処理装置２０１が受信する。次に、処理は、ステップＳ４０７に進む。
【００５７】
送信される受取り完了報告のデータは、現金の差出人に対する評価に関するデータを含むことができる。現金の差出人に対する評価に関するデータは、中央処理装置２０１によって、二次記憶装置２０３に格納される。現金の差出人に対する評価に関するデータは、
現金の受取人が、次の機会に現金の受け取りを希望する場合、現金の出金要求に関するデータに含むことができる。現金の差出人に対する評価に関するデータは、評価の低い現金の差出人に対して、現金の受取人が現金の差出人の候補から除外するのに使用することができる。
【００５８】
ステップＳ４０７において、現金の受取人に対して、現金の手渡しに関するバリューの処理を、中央処理装置２０１が実行する。例えば、現金の受取人が予め預けている現金千円分以上に相当するバリューから、現金の受取人が受け取った現金九百円分と手数料の現金百円分とを合計した現金千円分に相当するバリューを減算する。例えば、手数料の現金百円分に相当するバリューのうち、現金五十円分に相当するバリューは、現金の差出人が受け取る報酬に値し、残りの現金五十円分に相当するバリューは、個人間送金装置１０１を使用する事業者が受け取る手数料に値する。次に、処理は、ステップＳ４０８に進む。
【００５９】
ステップＳ４０８において、現金の差出人に対して、現金の手渡しに関するバリューの処理を、中央処理装置２０１が実行する。例えば、ステップＳ４０７にて差し引いた現金千円分に相当するバリューのうち、現金九百五十円分に相当するバリューを、現金の差出人のバリューに加算する。現金九百五十円分に相当するバリューのうち、現金五十円分に相当するバリューは、現金の差出人が受け取る報酬に値し、現金の受取人のバリューから減算した手数料百円分に相当するバリューに含まれている。
【００６０】
次に、ステップＳ４０７にて現金の受取人のバリューから減算した手数料百円分に相当するバリューから残金の現金五十円分に相当するバリューを、個人間送金装置１０１を使用する事業者が受け取り、処理は、終了する。
【００６１】
図５は、本発明の一実施形態にかかる個人間送金が実現される状況の一例を表す図である。図３、４を参照して、単に、現金の受取人と現金の差出人とのやり取りについて説明した。次に、図５を参照して、現金の受取人に対して、予めバリューを送金した送金者がいる場合について説明する。
【００６２】
本実施形態の個人間送金方法を利用する会員の送金者５０４は、本実施形態の個人間送金方法を利用する会員の受取人５０２に、例えば、現金千円分に相当するバリューの送金５２１をする。
【００６３】
本実施形態の個人間送金方法の事業者５０１は、送金者５０４のバリューから、現金千円分に相当するバリューの減算５１１の処理を実行し、受取人５０２のバリューに加算する。受取人５０２は、現金九百円の出金要求を事業者５０１に伝達５１２をする。
【００６４】
次に、事業者５０１は、出金要求に応じて、本実施形態のマッチングの処理を実行し、本実施形態の個人間送金方法を利用する会員の差出人５０３に、出金依頼の伝達５１３をする。さらに、事業者５０１は、受取人５０２に、差出人５０３の連絡先の伝達５１２をする。
【００６５】
次に、差出人５０３は、受取人５０２に、現金九百円の手渡し５２２をする。さらに、差出人５０３は、手渡し完了報告の伝達５１３をする。
【００６６】
最後に、事業者５０１は、差出人５０３のバリューに、現金九百五十円分に相当するバリューを加算し、残金の現金五十円分に相当するバリューを受け取る。
【００６７】
よって、受取人５０２は、送金者５０４から送信されたバリューに対して、送金者５０４でない差出人５０３から現金を受け取ることができる。
【００６８】
本実施形態において、ステップＳ３０３のマッチングの処理は、単に、位置情報に基づいて、現金の差出人の候補を選出した。別の実施形態として、現金の差出人の候補が、個人間送金方法を複数回利用した会員の中から選出される場合、過去に処理されたステップＳ４０６において格納された、現金の差出人に対する評価の高い順から、現金の差出人の候補を選出することができる。
【００６９】
別の実施形態において、本実施形態のステップＳ３０５にて送信される現金の出金依頼に関するデータは、過去に処理されたステップＳ４０５において格納された、現金の受取人に対する評価のデータを含むことができる。現金の受取人に対する評価のデータを含んだ、現金の出金依頼に関するデータの受信に基づいて、現金の差出人の候補は、現金の手渡しを希望するかどうかを決めることができる。
【００７０】
別の実施形態において、本実施形態のステップＳ３０６にて受信される現金の出金依頼への回答に関するデータが、例えば、現金の受取人が希望する金額の現金はあるが、現金の受取人が希望する手数料は受け入れられないことを示すデータであった場合、個人間送金装置１０１は、現金の受取人に対して、現金の差出人の候補が手数料を受け入れなかったことを通知することができる。通知を受けた現金の受取人は、手数料を変更して、再度、個人間送金装置１０１に現金の出金要求を送信することができる。
【００７１】
本実施形態において、ステップＳ３０３のマッチングの処理は、個人間送金方法を利用する会員の中から現金の差出人の候補を選出した。別の実施形態において、現金の差出人の候補には、会員だけでなく、例えば、現金自動預払機、キャッシュディスペンサー、自動券売機、自動精算機などを含むことができる。
【００７２】
本発明の実施形態によれば、必要以上の現金を持参している現金の差出人をマッチングさせることにより、現金の受取人は、現金の受け取りにかける時間や労力を低減することができる。
【産業上の利用可能性】
【００７３】
本発明は、エスクローの分野において、スマートフォンを使用するクラウドシステムにおける物品の取引を実現することができる。
【符号の説明】
【００７４】
１０１  個人間送金装置
１０２  スマートフォン
１０３  スマートフォン
【要約】
【課題】現金の受け取りを容易にすることができる個人間送金方法を提供する。
【解決手段】現金の受取人が使用する端末から出金要求に関するデータを受信するステップ（Ｓ３０１）と、受信した出金要求に関するデータに基づいて、現金の差出人の候補を選出し、出金依頼に関するデータを作成し、作成した出金依頼に関するデータを、現金の差出人の候補が使用する端末に送信するステップ（Ｓ３０５）と、現金の差出人の候補が使用する端末から、出金依頼への回答に関するデータを受信するステップ（Ｓ３０６）と、受信した出金依頼への回答に関するデータに基づいて現金の差出人を決定し、決定した現金の差出人の連絡先に関するデータを、現金の受取人が使用する端末に送信するステップ（Ｓ３０８）とを備える。
【選択図】図３【図１】
0006790193.tif 000002
【図２】
0006790193.tif 000003
【図３】
0006790193.tif 000004
【図４】
0006790193.tif 000005
【図５】
0006790193.tif 000006